(57)【特許請求の範囲】
【請求項１】
天井の一部を開口する吹き抜け空間を形成する場合に天井と天井の一端から吹き抜け空間の上方に向かって立設する立設壁とからなる角部に形成され、且つ、天井の表面に形成される天井表面部材の端部を見切る天井側見切り部と、立設壁の表面に形成される立設壁表面部材の端部を見切る立設壁側見切り部とを備えた壁見切り材であって、その壁見切り材は、締結部材により前記角部に固定されて立設壁を見切る固定部材と、その固定部材に固定して締結部材を覆って室内側の表面を化粧すると共に天井を見切る化粧部材とを備え、化粧部材は、固定部材に固定するための固定部を備え、固定部材は、化粧部材の固定部を固定可能な被固定部を備えており、更に固定部材は、立設壁表面部材との間に隙間が発生した場合のその隙間を隠すために、立設壁表面部材の端部を収納する壁収納部を備えたことを特徴とする壁見切り材。
【請求項２】
上記壁見切り材は、セルロース系材料の微粉末の表面にこの微粉末よりも小径で、かつ硬い微粉末を担持させて作成した粉体を混合した樹脂を着色成形することによって木目模様を呈するように形成したことを特徴とする請求項１記載の壁見切り材。
【発明の詳細な説明】
【０００１】
【発明の属する技術分野】
この発明は、天井の一部に吹き抜け空間を有する場合に吹き抜け空間の立設壁と天井とからなる角部において立設壁と天井との端部を見切るための壁見切り材に関するものである。
【０００２】
【先行技術】
図４は、従来の吹き抜け空間における壁見切り材の縦断面図を示すものである。
従来、玄関ホールや階段等において、天井１７０の一部を開口した吹き抜け空間１４１を形成する場合があった。この吹き抜け空間１４１を形成する場合に、天井１７０と、その天井１７０の一端から吹き抜け空間１４１の上方に向かって立設する立設壁１８０とからなる角部において、天井１７０の表面に形成された天井表面部材１６０と、立設壁１８０の表面に形成された立設壁表面部材１５０との端部を見切るための壁見切り材１１０が形成されていた。
【０００３】
上記天井１７０は、四角枠状の枠材とこの枠材を挟み込む面材とからなる２階の床パネル１４３と、その床パネル１４３の下面側に形成された天井表面部材１６０とを備えていた。その天井表面部材１６０は、石膏ボードからなる耐火材１６２と、その耐火材１６２の室内側の表面に形成された天井化粧部材１６１とを備えていた。
上記立設壁１８０は、吹き抜け空間の四方に立設する立設壁パネル１４２と、その立設壁パネル１４２の表面に形成された立設壁表面部材１５０とを備えていた。その立設壁表面部材１５０は、石膏ボードからなる耐火材１５２と、その耐火材１５２の表面に形成された立設壁化粧部材１５１とを備えていた。
【０００４】
上記壁見切り材１１０は、天井表面部材１６０の吹き抜け空間１４１側の端部を見切る木質からなる天井側壁見切り材１３０と、立設壁表面部材１５０の１階側の端部を見切る木質からなる立設側壁見切り材１２０とを備えていた。そして、天井側壁見切り材１３０の上面には同様に木質からなる調整材１３１が形成され、立設側壁見切り材１２０の立設壁パネル１４２側には木質からなる調整材１２１が形成されていた。
【０００５】
従来の壁見切り材１１０を取り付けるには、先ず最初に、調整材１２１，１３１を釘等により立設壁パネル１４２に固定し、その後、その調整材１２１，１３１の表面に接着剤を塗布して、立設側壁見切り材１２０及び天井側壁見切り材１３０を養生のための特別の治具等を使用することにより接着固定していた。
【０００６】
【発明が解決しようとする課題】
しかし、上記した従来の壁見切り材１１０は、壁見切り材１１０の取付位置が天井付近であって、取付作業のための足場を必要とする上に、壁見切り材１１０を上方に向かって重力に反する方向に持ち上げて取り付けなければならず、さらに、養生のための特別な治具等を使用して長時間の養生時間を必要とするため、現場施工において、大変、手間がかかる作業になるという第１の問題点があった。
【０００７】
また、壁見切り材１１０が、表面部材１５０，１６０の端部を見切る場合に、両者の間に隙間が発生すると、外観上、大変見苦しくなるため、端部の寸法精度を上げなければならず、大変、手間がかかった。特に、階段上に形成される吹き抜け空間１４１においては、立設壁表面部材１５０と壁見切り材１１０との間を間近に見ることとなって、立設壁表面部材１５０が壁見切り材１１０に当接せずに両者の間に隙間が発生すると、大変見苦しくなるため、端部の寸法精度を上げなければならず、製造上、大変手間がかかるという第２の問題点があった。
【０００８】
また、天然木材を使用した壁見切り材１０は、乾燥による含有水分の調整等の製品品質を一定にするための手間が小さくなかった。さらに、壁見切り材１０を１個の天然木材から形成する場合において、軽量化のために内部を空洞となるように削りだしを行うと手間がかかり、原料の無駄が多くなった。このため、内部を削り出すようなことはせずに使用すると、全体の重量が大きくなって、取り扱いが容易ではない上に、特に天井の上方に向かって持ち上げて取り付ける壁見切り材１０においては、取付作業が大変になるという第３の問題点があった。
【０００９】
そこで本発明は、養生のための特別の治具等を必要とせずに養生時間も少なくすることができ、外観も良好に維持することができ、取付作業を容易にすることができる壁見切り材を提供しようとするものである。
【００１０】
これに加えて、本発明は、立設壁表面部材１５０が壁見切り材１１０に完全に当接しなくても、両者の間の隙間を隠すことができて、外観が良好な壁見切り材１１０を提供しようとするものである。更に、手間をかけずに製品品質のばらつきが少ないうえに木目模様を呈することができ、外観が良好な化粧部材を提供しようとするものである。
【００１１】
【課題を解決するための手段】
本発明は、上記した目的を達成するためのものである。本発明は、天井（８０）の一部を開口する吹き抜け空間（７６）を形成する場合に天井（８０）と天井（８０）の一端から吹き抜け空間（７６）の上方に向かって立設する立設壁（７０）とからなる角部（７５）に形成され、且つ、天井（８０）の表面に形成される天井表面部材（８３）の端部を見切る天井側見切り部（８５）と、立設壁（７０）の表面に形成される立設壁表面部材（７３）の端部を見切る立設壁側見切り部（７７）とを備えた壁見切り材（１０）であって、その壁見切り材（１０）は、締結部材（４０）により前記角部（７５）に固定される固定部材（２０）と、その固定部材（２０）に固定して締結部材（４０）を覆って室内側の表面を化粧する化粧部材（３０）とを備え、化粧部材（３０）は、固定部材（２０）に固定するための固定部（６０）を備え、固定部材（２０）は、化粧部材（３０）の固定部（６０）を固定可能な被固定部（５０）を備えていることを特徴とする。
【００１２】
本発明に係る壁見切り材（１０）の作用及び効果を取付手順に沿って説明する。
先ず、天井（８０）と立設壁（７０）とからなる角部（７５）において、締結部材（４０）を介して固定部材（２０）を固定する。
次に、角部（７５）に固定された固定部材（２０）の被固定部（５０）に、化粧部材（３０）の固定部（６０）を固定する。その際、固定部材（２０）の表面に露出する締結部材（４０）を化粧部材（３０）が覆うように固定部材（２０）の表面に化粧部材（３０）を固定する。これにより、締結部材（４０）を隠すことができて、壁見切り材（１０）の外観を良好にすることができる。
【００１３】
さらに、固定部材（２０）と化粧部材（３０）とは固定部（６０）が被固定部（５０）に固定されることにより、両者を固定しているため、接着剤のみを使用して固定する場合と比較して、接着剤が固化するまでに両者が動かないように固定するための特別の治具等を必要とすることがなく、さらに、養生のための時間を必要とすることがない。これにより、現場施工における壁見切り材（１０）の取付作業を容易にすることができる。
【００１４】
また、固定部材（２０）は、立設壁表面部材（７３）との間に隙間が発生した場合のその隙間を隠すために、立設壁表面部材（７３）の端部を収納する壁収納部（２１）を備えたことを特徴とする。本発明において、立設壁表面部材（７３）の端部が壁収納部（２１）の内部に収納されている。これにより、立設壁表面部材（７３）の端部が固定部材（２０）に当接せずに両者の間に隙間が発生していても、その隙間を壁収納部（２１）の内部に隠すことができ、壁見切り材（１０）の外観を良好に維持することができる。
【００１５】
更に、壁見切り材（１０）は、セルロース系材料の微粉末の表面にこの微粉末よりも小径で、かつ硬い微粉末を担持させて作成した粉体を混合した樹脂を着色成形することによって木目模様を呈するように形成したことを特徴とする。ここで、「壁見切り材（１０）」は、上述したような材質からなるため、外部から見える壁見切り材（１０）の表面に木目模様を出すことができるものである。
【００１６】
また、木質材料では原料となる天然木材の違いや、含有水分の違い等による品質のバラツキが発生するが上述したような材質からなる壁見切り材（１０）ではそのようなことがなく、製品のバラツキを抑えることができる。
また、ここで「壁見切り材（１０）」は、「粉体を混合した樹脂」を押出成形することにより形成されるものである。このため、天然木材からの削り出しにおけるような原料の無駄を生じることはなく、内部に空洞も容易に形成することができて、全体の重量を容易に軽減することができ、取り扱いが容易な壁見切り材（１０）を形成することができる。
【００１７】
また、ここで「セルロース系材料」とは木粉等をいう。また、「微粉末よりも小径でかつ固い微粉末」とは、酸化チタン、フェライト、アルミニウム、ニッケル、銀等の金属微粉末、あるいはセラミック、炭酸カルシウム等の非金属微粉末をいうものである。
【００１８】
【発明の実施の形態】
以下、本発明の実施の形態を図面に基づいて、更に詳しく説明する。
図１乃至図３は、本発明の実施の形態を示すものであり、図１は壁見切り材の縦断面図、図２は壁見切り材の固定部材の縦断面図、図３は壁見切り材の化粧部材の縦断面図をそれぞれ示す。
【００１９】
まず、本実施の形態の構成について説明する。
本実施の形態に係る壁見切り材１０は、天井８０の一部を開口する吹き抜け空間７６を形成する場合に天井８０と天井８０の一端から吹き抜け空間７６の上方に向かって立設する立設壁７０とからなる角部７５に形成されているものである。そして、壁見切り材１０は、天井８０の表面に形成される天井表面部材８３の端部を見切る天井側見切り部８５と、立設壁７０の表面に形成される立設壁表面部材７３の端部を見切る立設壁側見切り部７７とを備えている。
【００２０】
前記天井８０は、２階の床面を形成する床パネル８４と、その床パネル８４の下面に形成された天井表面部材８３とから形成されている。その天井表面部材８３は、床パネル８４の下面に形成された天井耐火材８２と、その天井耐火材８２の下面に形成され、１階室内側の表面を化粧する天井化粧部材８１とから形成されているものである。
【００２１】
前記立設壁７０は、天井８０の一端から吹き抜け空間７６の上方に向かって立設する立設壁パネル７４と、その立設壁パネル７４の吹き抜け空間７６側に形成される立設壁表面部材７３とから形成されている。その立設壁表面部材７３は、前記立設壁パネル７４の吹き抜け空間７６側に形成される立設壁耐火材７２と、その立設壁耐火材７２の吹き抜け空間７６側の表面を化粧する立設壁化粧部材７１とから形成されている。
【００２２】
前記壁見切り材１０は、締結部材４０により前記角部７５に固定される長尺状であって縦断面形状が略Ｌ字状の固定部材２０と、その固定部材２０に係合して締結部材４０を覆って室内側の表面を化粧する長尺状であって縦断面形状が略平板状の化粧部材３０とを備えている。前記締結部材４０は、具体的にはねじであって、その頭部にドライバー等を差し込んでねじ全体を回転させるための操作部４１を有しているものである。
【００２３】
前記固定部材２０は、固定部材２０の下方（図２）に面する側に形成されて化粧部材３０を固定可能な被固定部５０と、固定部材２０の下方（図２）に面する側の締結部材４０をねじ込む位置に形成された縦断面形状がＶ溝状のねじ溝５２と、締結部材４０を貫通する位置の固定部材２０と立設壁パネル７４との間に隙間を形成した隙間部５３と、固定部材２０の左側（図２）に位置して立設壁表面部材７３を見切るための立設壁側見切り部７７とを備えている。さらに、固定部材２０は、化粧部材３０が当接する当接面５５と、固定部材２０の原料使用量を減らすための中空状の中空部５４とを備えている。前記被固定部５０は、図２の断面の左側に位置して縦断面形状が略溝状の左側被固定部５７と、図２の断面の右側に位置して右方に向かって突出する右側被固定部５６とを備えている。この左側被固定部５７の溝の両方の内面と、右側被固定部５６の右方（図２）に面する表面とには、固定部材２０の長手方向に沿って平行に形成された凹凸波状の等ピッチからなる凹凸溝５１が形成されている。前記立設壁側見切り部７７は、立設壁表面部材７３との間に隙間が発生した場合のその隙間を隠すために立設壁表面部材７３の端部を収納する壁収納部２１を備えている。
【００２４】
前記化粧部材３０は、化粧部材３０の上方（図３）に面する側に形成されて固定部材２０の被固定部５０に固定するための固定部６０と、固定部材２０の左側（図３）に位置する平板状であって当接面５５に当接する当接片３１と、固定部材２０の右側（図３）に位置して上方に向かって突出する突出片３２とを備えている。前記固定部６０は、固定部材２０の右側（図３）に位置する右側固定部６６と、その右側固定部６６の左側（図３）に位置する左側固定部６７とを備えている。その右側固定部６６は、左側固定部６７より天井８０側に突出するように形成されている。また、右側固定部６２及び左側固定部６３の両側面には、固定部材２０の長手方向に沿って平行に形成された凹凸波状の等ピッチからなる凹凸溝６１が形成されている。この凹凸溝６１のピッチは、被固定部５０の凹凸溝５１のピッチの２倍となるように設定されている。これは、固定部６０の凹凸溝６１と、被固定部５０の凹凸溝５１との噛み合い抵抗が大きくなりすぎないように設定されているものである。また、右側固定部６６及び左側固定部６７のそれぞれのほぼ中央には、固定部６０を被固定部５０に固定する際に、右側固定部６６及び左側固定部６７が容易に弾性変形することができるように、右側固定部６６及び左側固定部６７のそれぞれの略中央において溝状に切り欠かれて右側固定部６６及び左側固定部６７を左右に分割した切欠溝６２が形成されている。
【００２５】
前記当接片３１は、上面に位置して固定部材２０の当接面５５に面する対向面３３と、その対向面３３の縁端部であって当接片３１の先端側の角部に位置して固定部材２０の当接面５５に当接する当接角部３５とを備えている。そして、化粧部材３０と固定部材２０とを組み合わせた場合に当接角部３５と当接面５５とを隙間無く当接させるために、化粧部材３０の対向面３３は、反当接面５５側に向かって凹んだ凹部３４が形成されている。前記突出片３２は、化粧部材３０を固定部材２０に押し込んで固定する際に、突出片３２の先端角部が天井表面部材８３に引っかからないように先端側の厚みが先細状となるように形成されている。
【００２６】
また、本実施の形態に係る壁見切り材１０の固定部材２０及び化粧部材３０は、セルロース系材料の微粉末の表面にこの微粉末よりも小径で、かつ硬い微粉末を担持させて作成した粉体を混合した樹脂を着色成形することによって木目模様を呈するように形成されている。
本実施の形態に係る壁見切り材１０の作用及び効果を取付手順に沿って説明する。
【００２７】
先ず、天井８０と立設壁７０とからなる角部７５において、ねじからなる締結部材４０の頭部の操作部４１をドライバー等を使用することにより、室内側から固定部材２０を貫通し、角部７５の立設壁パネル７４にねじ込む。これにより、締結部材４０を介して、固定部材２０を角部７５に固定することができる。なお、固定部材２０に締結部材４０をねじ込む際に、固定部材２０にはねじ溝５２が形成されているため、そのねじ溝５２に沿った適宜の位置に締結部材４０を容易にねじ込むことができ、締結部材４０の位置決め作業を容易にすることができる。また、固定部材２０の建物躯体側には、隙間部５３が形成されているため、固定部材２０を貫通した締結部材４０が建物躯体側に面する表面から建物躯体にねじ込まれる場合に、貫通する締結部材４０と共に固定部材２０の表面から建物躯体側に向かってバリが突出しても、バリは隙間部５３に収納されることとなる。これにより、バリの発生によって固定部材２０と建物躯体との間に隙間を発生することを抑えることができ、壁見切り材１０の取付後の外観を良好に設定することができる。
【００２８】
次に、角部７５に固定された固定部材２０の被固定部５０に、化粧部材３０の固定部６０を下方から押し込む。すなわち、固定部材２０の左側被固定部５７に化粧部材３０の左側固定部６７を押し込み、固定部材２０の右側被固定部５６に化粧部材３０の右側固定部６６を押し込む。これにより、左側固定部６７の凹凸溝６１が左側被固定部５７の凹凸溝５１の内部に入り込んで所定の位置で噛み合って固定し、右側固定部６６の凹凸溝６１が右側被固定部５６の凹凸溝５１の内部に入り込んで所定の位置で噛み合って固定する。その際、化粧部材３０の凹凸溝６１のピッチが、固定部材２０の凹凸溝５１のピッチの２倍となるように設定されているため、両者の摩擦抵抗が適度に調節されることとなり、両者、全く同じピッチにした場合よりもスムーズに押し込み作業を行うことができる。さらに、化粧部材３０の押し込み時に、固定部６０には切欠溝６２が形成されているため、適度に固定部６０が弾性変形することが可能となり、両者の摩擦抵抗を抑えることができて、取付作業を容易にすることができる。
【００２９】
そして、固定部材２０の室内側の表面に露出する締結部材４０の頭部の操作部４１を化粧部材３０が覆うように固定部材２０の表面に化粧部材３０を固定する。これにより、締結部材４０の操作部４１を室内側から隠すことができて、壁見切り材１０の外観を良好にすることができる。
なお、固定部材２０と化粧部材３０との間には、予め接着剤を塗布しておくと、両者の固定をより確実に、且つ強固なものにすることができる。
【００３０】
固定部材２０と化粧部材３０とは固定部６０が被固定部５０の内部にはめ込むことにより、両者が固定されている。このため、接着剤のみを使用して固定する場合と比較して、接着剤が固化するまでに両者が動かないように固定するための特別の治具等を必要とすることがなく、さらに、養生のための時間を必要とすることがない。これにより、現場施工における壁見切り材１０の取付作業を容易にすることができる。
【００３１】
また、化粧部材３０の当接片３１を固定部材２０の当接面５５に当接させるために、当接片３１の対向面３３を固定部材２０の当接面５５に向かって押し付けると、対向面３３には、反当接面５５側に向かって凹んだ凹部３４が形成されているため、対向面３３の凹部３４が当接面５５と当接することはなく、常に当接角部３５が当接面５５と当接することになる。これにより、当接角部３５と当接面５５とを隙間なく当接させることができる。すなわち、対向面３３と当接面５５とが平行でなく、傾斜している場合でも、また、対向面３３や当接面５５の表面が完全な平面ではなく、凹凸が発生していても、さらに、対向面３３と当接面５５との間に塵や埃等の異物が介在しても、それらの原因による当接角部３５と当接面５５との間の隙間の発生を抑えることができ、壁見切り材１０の外観を優れたものにすることができる。
【００３２】
次に、立設壁表面部材７３の端部を立設壁側見切り部７７に当接させ、天井表面部材８３の端部を天井側見切り部８５に当接させる。これにより、立設壁表面部材７３及び天井表面部材８３の端部を見切ることができる。その際、立設壁表面部材７３の端部は壁収納部２１の内部に収納する。これにより、立設壁表面部材７３の端部が固定部材２０に当接せずに両者の間に隙間が発生していても、その隙間を壁収納部２１の内部に隠すことができ、壁見切り材１０の外観を良好に維持することができる。なお、壁見切り材１０を固定した後、立設壁表面部材７３及び天井表面部材８３を設置したが、設置順序は特に限定されるものではなく、立設壁表面部材７３及び天井表面部材８３を設置した後、壁見切り材１０を固定することもできる。
【００３３】
そして、壁見切り材１０は、セルロース系材料の微粉末の表面に、この微粉末よりも小径でかつ固い微粉末を担持させて形成した粉体を混合した樹脂を着色成形することによって形成されているため、外部から見える壁見切り材１０の外観表面に木目模様を出すことができる。また、木質材料では原料となる天然木材の違いや、含有水分の違い等による品質のバラツキが発生するが上述したような材質からなる壁見切り材１０ではそのようなことがなく、製品のバラツキを抑えることができる。
【００３４】
また、ここで「壁見切り材１０」は、「粉体を混合した樹脂」を押出成形することにより形成されるものである。このため、天然木材からの削り出しにおけるような原料の無駄を生じることはなく、内部に空洞となる中空部５４も容易に形成することができて、全体の重量を容易に軽減することができ、取り扱いが容易な壁見切り材１０を形成することができる。
【００３５】
【発明の効果】
本発明は、以上のように構成されているので、以下に記載されるような効果を奏する。
請求項１記載の発明によれば、養生のための特別の治具等を必要とせずに養生時間も少なくすることができ、外観も良好に維持することができ、取付作業を容易にすることができる壁見切り材を提供することができる。
【００３６】
請求項２記載の発明は、立設壁表面部材が壁見切り材に完全に当接しなくても、両者の間の隙間を隠すことができて、外観が良好な壁見切り材を提供することができる。
請求項３記載の発明は、手間をかけずに製品品質のばらつきが少ないうえに木目模様を呈することができ、外観が良好な化粧部材を提供することができる。
【図面の簡単な説明】
【図１】本発明の実施の形態を示すものであって、壁見切り材を示す縦断面図である。
【図２】本発明の実施の形態を示すものであって、壁見切り材の固定部材を示す縦断面図である。
【図３】本発明の実施の形態を示すものであって、壁見切り材の化粧部材を示す縦断面図である。
【図４】従来の壁見切り材を示す縦断面図である。
【符号の説明】
１０  壁見切り材                    ２０  固定部材
２１  壁収納部                      ３０    化粧部材
３１  当接片                        ３２  突出片
３３  対向面                        ３４  凹部
３５  当接角部                      ４０    締結部材
４１  操作部                        ５０    被固定部
５１  凹凸溝                        ５２  ねじ溝
５３  隙間部                        ５４  中空部
５５  当接面                        ５６  右側被固定部
５７  左側被固定部                  ６０    固定部
６１  凹凸溝                        ６２  切欠溝
６６  右側固定部                    ６７  左側固定部
７０    立設壁                        ７１  立設壁化粧部材
７２  立設壁耐火材                  ７３  立設壁表面部材
７４  立設壁パネル                  ７５  角部
７６  吹き抜け空間                  ７７  立設壁側見切り部
８０  天井                          ８１  天井化粧部材
８２  天井耐火材                    ８３  天井表面部材
８４  床パネル                      ８５  天井側見切り部
１１０  壁見切り材                  １２０  立設側壁見切り材
１２１  調整材                      １３０  天井側壁見切り材
１３１  調整材                      １４１  吹き抜け空間
１４２  立設壁パネル                １４３  天井パネル
１５０  立設壁表面部材              １５１  立設壁化粧部材
１５２  耐火材                      １６０  天井表面部材
１６１  天井化粧部材                １６２  耐火材
１７０  天井                        １８０  立設壁
【図１】
0003627997.tif 000002
【図２】
0003627997.tif 000003
【図３】
0003627997.tif 000004
【図４】
0003627997.tif 000005